(57)【要約】【課題】  テープの残量を正確に算出することができるようにする。【解決手段】  カセットシェル１には、磁気テープ１１の全長を示す情報を記憶するメモリ１３が組み込まれている。テープ残量計算装置２２は、リール１２−１およびリール１２−２に巻き付いている分のテープ長さを、厚さが一定であるとして算出するとともに、例えば、算出したリール１２−１に巻き残っているテープ長さを、算出したリール１２−１に巻き残っている分のテープ長さとリール１２−２に巻き付いているテープ長さの和に対するメモリ１３から読み取った磁気テープ１１の全長の比で補正し、記録または再生することができる磁気テープ１１の残量を算出する。なお、本発明は、VTRに適用することができる。【選択図】  図１
2004319088.tif 000002
【特許請求の範囲】
【請求項１】
情報が記録または再生されるテープと、
供給される分の前記テープが巻かれている供給側リールと、
前記供給側リールから供給された前記テープが巻き取られる巻き取り側リールと、
前記テープの全長を記憶する記憶部と
を備えることを特徴とする記録媒体。
【発明の詳細な説明】
【技術分野】
【０００１】
本発明は、記録媒体に関し、特に、情報が記録再生されるテープの残量を正確に計算することができるようにした記録媒体に関する。
【背景技術】
【０００２】
VTR(Video Tape Recorder)、カムコーダ、またはAIT（Advanced Intelligent Tape）バックアップ装置等のテープ磁気記録再生装置において利用される磁気テープの、記録または再生可能な残量は、通常、磁気テープを供給する側のリール（以下、供給側リールと称する）、または供給側リールから供給された（送られた）磁気テープを巻き取る側のリール（以下、巻き取り側リールと称する）のいずれか一方のリールに現在巻き付いている磁気テープの長さに基づいて求められる（特許文献１参照）。
【特許文献１】特開平２−８１３８９号公報
【発明の開示】
【発明が解決しようとする課題】
【０００３】
しかしながら、このようにして磁気テープの残量を算出する場合、その算出結果には、磁気テープの厚さのばらつきに応じた誤差が含まれ、正確な残量を検出することができない課題があった。例えば、テープ厚さに１０％のばらつきがある場合、６０分テープについてのテープの残量計算には、最大、６０分の１０％である６分の誤差が生じ得る。
【０００４】
本発明はこのような状況に鑑みてなされたものであり、テープ厚さの精度にかかわらず、テープの残量を正確に算出することができるようにするものである。
【課題を解決するための手段】
【０００５】
本発明の記録媒体は、情報が記録または再生されるテープと、供給される分のテープが巻かれている供給側リールと、供給側リールから供給されたテープが巻き取られる巻き取り側リールと、テープの全長を記憶する記憶部とを備えることを特徴とする。
【発明の効果】
【０００６】
本発明によれば、記録または再生できるテープの残量を正確に計算することができる。
【発明を実施するための最良の形態】
【０００７】
図１は、本発明を適用したカセットシェル１が、本発明を適用した記録再生装置２に装着されている状態を表している。記録再生装置２は、VTR、カムコーダ、またはAIT（Advanced Intelligent Tape）バックアップ装置等のテープ磁気記録再生装置である。
【０００８】
なお、図１には、記録再生装置２の構成のうち、テープ残量の計算に関係する周期計測部２１およびテープ残量計算装置２２、並びにテープの送りを行うテープガイド２３乃至テープガイド２５のみが図示されており、例えば、カセットシェル１が装着されるメカデッキ部、および信号処理を行う信号処理部等の図示は省略されている。
【０００９】
カセットシェル１が記録再生装置２に装着されると、カセットシェル１の磁気テープ１１は、磁気テープ１１に対する記録再生動作に応じて、一方のリール１２から他方のリール１２に送られる。
【００１０】
例えば、図１に示すように、リール１２−１が供給側リールであり、リール１２−２が巻き取り側リールである場合、磁気テープ１１は、供給側リール１２−１により、記録再生装置２のテープガイド２３、回転ドラム２４、およびテープガイド２５を介して巻き取り側リール１２−２に供給され、そこに巻き取られる。
【００１１】
カセットシェル１には、メモリ１３が組み込まれている。このメモリ１３には、磁気テープ１１の実際の全長ＬXを示す情報が記憶されている。
【００１２】
記録再生装置２の周期計測部２１は、図２Ａおよび図２Ｂに示すように、カセットシェル１のリール１２−１が挿入されるリール台３１−１およびリール１２−２が挿入されるリール台３１−２、リール台３１−１およびリール台３１−２に取り付けられている円板３２−１および円板３２−２（それぞれ、Ｎ個の縞３３が形成されている）、並びに円板３２−１および円板３２−２の回転を検出する光学センサ３４−１および光学センサ３４−２を有して構成されている。
【００１３】
すなわち、周期計測部２１は、リール台３１および円板３２の回転に伴って得られる光学センサ３４から出力される、円板３２の縞３３に応じたパルス信号をカウントし、Ｎ個分のパルス信号をカウントするのに要した時間を、リール台３１（リール１２）の回転周期として計測し、その計測結果をテープ残量計算装置２２に供給する。
【００１４】
テープ残量計算装置２２は、周期計測部２１からのカセットシェル１のリール１２の回転周期を利用して、磁気テープ１１の厚さを一定とした場合の供給側リール１２−１に巻き残っている分のテープの長さＬSと巻き取り側リール１２−２に巻き取られている分のテープの長さＬTを算出するとともに、算出した長さＬSと長さＬT、並びにカセットシェル１のメモリ１３から読み取った磁気テープ１１の全長ＬXに基づいて、テープの残量を算出する。
【００１５】
テープ残量計算装置２２は、算出したテープ残量を、記録再生装置の図示せぬ表示部に出力して表示させる。
【００１６】
なお、記録再生装置２のテープ残量計算装置２２とカセットシェル１のメモリ１３の情報の授受は、有線または無線で行われる。
【００１７】
図３は、テープ残量計算装置２２の内部の構成例を示している。入力部４１は、周期計測部２１から出力される、リール１２の回転周期を受信し、入出力インタフェース４４を介して、CPU３１に供給する。通信部４２は、カセットシェル１と通信し、メモリ１３に記録されている磁気テープ１１の全長ＬXを示す情報を取得し、それを、入出力インタフェース４４を介してCPU３１に供給する。
【００１８】
出力部４３は、CPU３１により供給されるデータ（例えば、テープの残量）を、図示せぬ表示部に出力して表示させる。
【００１９】
CPU３１は、ROM３２に記憶されている、例えば、テープ残量を計算するためのプログラムをRAM３３にロードし、入力部４１からのリール１２の回転周期、および通信部４２からの磁気テープ１１の全長ＬXに基づいて実行し、その結果得られたテープ残量を、出力部４３に供給する。
【００２０】
なお、プログラムや必要なデータは、ROM３２に予め記憶しておき、テープ残量計算装置２２と一体的にユーザに提供したり、磁気ディスク、光ディスク、光磁気ディスク、半導体メモリ等のパッケージメディアとして提供したり、衛星、ネットワーク等を介して提供することができる。
【００２１】
図４は、テープ残量計算装置２２のテープ残量を計算するためのプログラムの機能的構成例を示している。
【００２２】
回転周期取得部５１は、周期計測部２１から供給側リール１２−１および巻き取り側リール１２−２の回転周期を取得し、計算部５２に供給する。計算部５２は、回転周期取得部５１からの供給側リール１２−１および巻き取り側リール１２−２の回転周期を利用して、厚さを一定とした場合（ばらつきがないとした場合）の、供給側リール１２−１に巻き残っている分の磁気テープ１１の長さＬS、および巻き取り側リール１２−２に巻き取られている分の磁気テープ１１の長さＬTを算出し、補正部５４に供給する。
【００２３】
全長取得部５３は、カセットシェル１と通信し、メモリ１３に記録されている磁気テープ１１の実際の全長ＬXを示す情報を取得し、それを補正部５４に供給する。
【００２４】
補正部５４は、計算部５２から供給された、厚さを一定とした場合の供給側リール１２−１に巻き残っている分の磁気テープ１１の長さＬSを、その長さＬSと、厚さを一定とした場合の巻き取り側リール１２−２の長さＬTの合計（厚さを一定とした場合の磁気テープ１１の全長）と、全長取得部５３から供給された情報が示す磁気テープ１１の実際の全長ＬXとの比で補正し、テープ残量を算出する。補正部５４は、算出したテープ残量を、表示制御部５５に供給する。
【００２５】
表示制御部５５は、補正部５４からのテープ残量を、図示せぬ表示部に出力して表示させる。
【００２６】
なお、図４に示すブロックの回転取得部５１は、図３の入力部４１に保持されている。また図４に示すブロックの計算部５２および補正部５４は、CPU３１に保持され、全長取得部５３は、通信部４２に保持され、そして表示制御部５５は、出力部４３に保持されている。
【００２７】
このように、テープ残量計算装置２２におけるテープ残量計算処理をソフトウエアにより実現させることもできるが、テープ残量計算装置２２をワイヤードロジックIC等で構成することでハードウエアにより実現することもできる。
【００２８】
次に、テープ残量計算装置２２の動作を、図５のフローチャートを参照して説明する。
【００２９】
ステップＳ１において、テープ残量計算装置２２の計算部５２は、厚さが規格値ｄで一定であるとした場合（ばらつきがないとした場合）の、供給側リール１２−１に巻き残っている分の磁気テープ１１の長さＬSを、式（１）に従って算出する。
【００３０】
【数１】
2004319088.tif 000003
【００３１】
式（１）中のSSは、供給側リール１２−１に巻かれている磁気テープ１１により形成される面の面積であり、式（２）に従って算出される。
【００３２】
【数２】
2004319088.tif 000004
【００３３】
式（２）中のＲSは、供給側リール１２−１の中心から供給側リール１２−１に巻かれている磁気テープ１１の最外周の半径（図６Ａ）であり、ｒSは、供給側リール１２−１のハブ径である。
【００３４】
ハブ径ｒSは、予め決められているが、最外周の半径ＲSは、式（３）に従って算出される。
【００３５】
【数３】
2004319088.tif 000005
【００３６】
式（３）中のtSは、周期計測部２１により計測される供給側リール１２−１が１回転する時間（周期）であり、テープ残量計算装置２２に適宜供給され、回転周期取得部５１により取得される。または、ｖは、テープ移送速度の規格値である。
【００３７】
したがって、長さＬSは、式（３）を式（２）に代入して得られる式（４）に従って算出された面積SS、および規格値ｄにより式（１）が演算されて算出される。
【００３８】
【数４】
2004319088.tif 000006
【００３９】
なお、式（３）は、供給側リール１２−１に巻かれている磁気テープ１１の最外周の円周の長さｌと、周期tSおよびテープ移送速度ｖとの関係を示す式（５）を、最外周の半径RSと外周の円周の長さｌとの関係を示す式（６）に代入することで得られる。
ｌ＝ｖ×ｔS・・・（５）
２πRS＝ｌ・・・（６）
【００４０】
次に、ステップＳ２において、テープ残量計算装置２２の計算部５２は、厚さが規格値ｄで一定であるとした場合（ばらつきがないとした場合）の、巻き取り側リール１２−２に巻き取られている分の磁気テープ１１の長さＬTを算出する。なお、その具体的な算出方法は、ステップＳ１における長さＬSの算出方法と同様であるので、その詳細は説明するが、長さＬTは、式（７）により算出された面積ＳTが式（８）に代入されて求められる。式（７）中のｔTは、巻き取り側リール１２−２の回転周期であり（周期計測部２１により計測された値）であり、ｒTは、巻き取り側リール１２−２のハブ径である。
【００４１】
【数５】
2004319088.tif 000007
【００４２】
【数６】
2004319088.tif 000008
【００４３】
計算部５２は、ステップＳ１で計算した厚さが規格値ｄで一定であるとした場合の供給側リール１２−１に巻き残っている分の磁気テープ１１の長さＬSと、ステップＳ２で計算した厚さが規格値ｄで一定であるとした場合の巻き取り側リール１２−２に巻き取られている分の磁気テープ１１の長さＬTを、それぞれ補正部５４に供給する。
【００４４】
ステップＳ３において、補正部５４は、例えば、長さＬS（厚さを一定とした場合の供給側リール１２−１に巻き残っている分の磁気テープ１１の長さ）を補正して、磁気テープ１１の残量を算出する。具体的には、式（９）に示すように、ステップＳ１で算出された長さＬSとステップＳ２で算出した長さＬTの和（すなわち、厚さが規格値ｄで一定であるとした場合の磁気テープ１１の全長）に対する、全長取得部５３から供給された情報（メモリ１３に記録されている情報）が示す磁気テープ１１の実際の全長ＬXの比が、長さＬSに乗算されて算出される。
【００４５】
【数７】
2004319088.tif 000009
【００４６】
その後、処理は終了する。
【００４７】
以上のように、厚さが規格値ｄで一定であるとして長さＬSおよび長さＬTを算出し、例えば、長さＬSを、（ＬS＋ＬT）と実際の磁気テープ１１の長さＬxとの比で補正するようにしたので、厚さのばらつきによる誤差を含まないテープの残量を算出することができる。
【００４８】
なお、以上においては、長さＬSを補正することで、磁気テープ１１の残量を算出したが、式（１０）に示すように、長さＬTを補正するようにして、テープの残量を算出することもできる。
【００４９】
【数８】
2004319088.tif 000010
【００５０】
また、テープ残量計算装置２２は、式（１１）により、テープの残量に基づくテープ残量時間を算出することもできる。
【００５１】
【数９】
2004319088.tif 000011
なお、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【００５２】
【図１】本発明を適用したテープ残量計算装置の利用例を示す図である。
【図２】図１の周期計測部の構成例を示す図である。
【図３】図１のテープ残量計算装置の内部の構成例を示すブロック図である。
【図４】図１のテープ残量計算装置の機能的ブロック図である。
【図５】図１のテープ残量計算装置の動作を説明するフローチャートである。
【図６】テープ長さの算出方法を説明する図である。
【符号の説明】
【００５３】
１  カセットシェル，  １１  磁気テープ，  １２  リール，  １３  メモリ，  ２１  周期計測部，  ２２  テープ残量計測装置，  ３１  CPU，  ３２  ROM，  ３３  RAM，  ４１  入力部，  ４２  通信部，  ４３  出力部，  ４４  入出力インタフェース，  ５１  回転周期取得部，  ５２  計算部，  ５３  全長取得部，  ５４  補正部，  ５５  表示制御部
【図１】
2004319088.tif 000012
【図２】
2004319088.tif 000013
【図３】
2004319088.tif 000014
【図４】
2004319088.tif 000015
【図５】
2004319088.tif 000016
【図６】
2004319088.tif 000017